(57)【特許請求の範囲】
【請求項１】
原稿を読み取って画像データを取得する取得手段と、
画像が形成される印刷媒体が収容される複数の収容手段と、
前記各収容手段に収容される印刷媒体の寸法である収容印刷媒体寸法及び前記印刷媒体の種類である収容印刷媒体種類を設定する収容印刷媒体設定手段と、
前記各収容手段の何れかを選択するための印刷媒体の種類である選択印刷媒体種類を設定する選択印刷媒体設定手段と、
前記取得手段が読み取った原稿の画像を形成する印刷媒体の寸法である決定印刷媒体寸法を決定する決定手段と、
前記決定印刷媒体寸法に対応する前記収容印刷媒体寸法で、かつ前記選択印刷媒体種類に対応する前記収容印刷媒体種類の印刷媒体が収容される前記収容手段を選択する選択機能を有する選択手段と、
前記取得手段が取得した画像データを基に、前記選択手段が選択した収容手段に収容される印刷媒体に画像を形成する画像形成手段と、を備え、
前記複数の収容手段は、１つの第１の収容手段と、前記第１の収容手段に収容された印刷媒体よりも使用頻度の高い寸法の印刷媒体が収容される複数の第２の収容手段とを含み、
前記選択手段は、前記選択印刷媒体種類が前記第１の収容手段に収容された印刷媒体の収容印刷媒体種類と異なる場合であっても、前記第１の収容手段を選択するとともに、
前記選択印刷媒体種類が前記複数の第２の収容手段のそれぞれに収容された各印刷媒体の収容印刷媒体種類と異なる場合には、前記複数の第２の収容手段のいずれも選択しないことを特徴とする画像形成装置。
【請求項２】
画像形成装置を、
原稿を読み取って画像データを取得する取得手段と、
画像が形成される印刷媒体が収容される複数の収容手段に収容される印刷媒体の寸法である収容印刷媒体寸法及び前記印刷媒体の種類である収容印刷媒体種類を設定する収容印刷媒体設定手段と、
前記各収容手段の何れかを選択するための印刷媒体の種類である選択印刷媒体種類を設定する選択印刷媒体設定手段と、
前記取得手段が読み取った原稿の画像を形成する印刷媒体の寸法である決定印刷媒体寸法を決定する決定手段と、
前記決定印刷媒体寸法に対応する前記収容印刷媒体寸法で、かつ前記選択印刷媒体種類に対応する前記収容印刷媒体種類の印刷媒体が収容される前記収容手段を選択する選択機能を有する選択手段と、
前記取得手段が取得した画像データを基に、前記選択手段が選択した収容手段に収容される印刷媒体に画像を形成する画像形成手段として機能させるためのコンピュータに読取可能な制御プログラムであって、
前記複数の収容手段は、１つの第１の収容手段と、前記第１の収容手段に収容された印刷媒体よりも使用頻度の高い寸法の印刷媒体が収容される複数の第２の収容手段とを含み、
前記選択手段は、前記選択印刷媒体種類が前記第１の収容手段に収容された印刷媒体の収容印刷媒体種類と異なる場合であっても、前記第１の収容手段を選択するとともに、
前記選択印刷媒体種類が前記複数の第２の収容手段のそれぞれに収容された各印刷媒体の収容印刷媒体種類と異なる場合には、前記複数の第２の収容手段のいずれも選択しないことを特徴とするコンピュータに読取可能な制御プログラム。
【発明の詳細な説明】
【技術分野】
【０００１】
本発明は、画像形成装置及び制御プログラムである。
【背景技術】
【０００２】
特許文献１には、用紙種類の優先順位を予め設定しておくことで、用紙種類の指定がないときに、その設定した優先順位に従って用紙を選択する画像形成装置が開示されている。
特許文献２には、複数の給送手段に対応づけてシートの種類を記憶するとともに、シートの種類間の優先順位を記憶しておき、それら記憶されたシートの種類と記憶された優先順位を基に、一の給送手段を選択する画像形成装置が開示されている。
【０００３】
特許文献３には、用紙種類別の選択の優先度を予め設定しておくことで、印刷ジョブのコマンドにより指定された用紙サイズに対し複数の用紙種別の給紙トレイがある場合に、設定した優先度の順に給紙トレイを選択するプリンタが開示されている。
【先行技術文献】
【特許文献】
【０００４】
【特許文献１】特開２００１−３２８７４０号公報
【特許文献２】特開２００２−４０８８１号公報
【特許文献３】特開２００７−１２６２９３号公報
【発明の概要】
【発明が解決しようとする課題】
【０００５】
本発明の目的は、選択機能のために予め設定した印刷媒体の種類が、選択機能で選択できる収容手段が収容する印刷媒体にない場合でも、選択機能にて一の収容手段を選択することができるようにすることである。
【課題を解決するための手段】
【０００６】
請求項１に記載の発明は、原稿を読み取って画像データを取得する取得手段と、画像が形成される印刷媒体が収容される複数の収容手段と、前記各収容手段に収容される印刷媒体の寸法である収容印刷媒体寸法及び前記印刷媒体の種類である収容印刷媒体種類を設定する収容印刷媒体設定手段と、前記各収容手段の何れかを選択するための印刷媒体の種類である選択印刷媒体種類を設定する選択印刷媒体設定手段と、前記取得手段が読み取った原稿の画像を形成する印刷媒体の寸法である決定印刷媒体寸法を決定する決定手段と、前記決定印刷媒体寸法に対応する前記収容印刷媒体寸法で、かつ前記選択印刷媒体種類に対応する前記収容印刷媒体種類の印刷媒体が収容される前記収容手段を選択する選択機能を有する選択手段と、前記取得手段が取得した画像データを基に、前記選択手段が選択した収容手段に収容される印刷媒体に画像を形成する画像形成手段と、を備え、前記複数の収容手段は、１つの第１の収容手段と、前記第１の収容手段に収容された印刷媒体よりも使用頻度の高い寸法の印刷媒体が収容される複数の第２の収容手段とを含み、前記選択手段は、前記選択印刷媒体種類が前記第１の収容手段に収容された印刷媒体の収容印刷媒体種類と異なる場合であっても、前記第１の収容手段を選択するとともに、前記選択印刷媒体種類が前記複数の第２の収容手段のそれぞれに収容された各印刷媒体の収容印刷媒体種類と異なる場合には、前記複数の第２の収容手段のいずれも選択しないことを特徴とする画像形成装置である。
【０００８】
請求項２に記載の発明は、画像形成装置を、原稿を読み取って画像データを取得する取得手段と、画像が形成される印刷媒体が収容される複数の収容手段に収容される印刷媒体の寸法である収容印刷媒体寸法及び前記印刷媒体の種類である収容印刷媒体種類を設定する収容印刷媒体設定手段と、前記各収容手段の何れかを選択するための印刷媒体の種類である選択印刷媒体種類を設定する選択印刷媒体設定手段と、前記取得手段が読み取った原稿の画像を形成する印刷媒体の寸法である決定印刷媒体寸法を決定する決定手段と、前記決定印刷媒体寸法に対応する前記収容印刷媒体寸法で、かつ前記選択印刷媒体種類に対応する前記収容印刷媒体種類の印刷媒体が収容される前記収容手段を選択する選択機能を有する選択手段と、前記取得手段が取得した画像データを基に、前記選択手段が選択した収容手段に収容される印刷媒体に画像を形成する画像形成手段として機能させるためのコンピュータに読取可能な制御プログラムであって、前記複数の収容手段は、１つの第１の収容手段と、前記第１の収容手段に収容された印刷媒体よりも使用頻度の高い寸法の印刷媒体が収容される複数の第２の収容手段とを含み、前記選択手段は、前記選択印刷媒体種類が前記第１の収容手段に収容された印刷媒体の収容印刷媒体種類と異なる場合であっても、前記第１の収容手段を選択するとともに、前記選択印刷媒体種類が前記複数の第２の収容手段のそれぞれに収容された各印刷媒体の収容印刷媒体種類と異なる場合には、前記複数の第２の収容手段のいずれも選択しないことを特徴とするコンピュータに読取可能な制御プログラムである。
【発明の効果】
【０００９】
本発明によれば、選択機能のために予め設定した印刷媒体の種類が、選択機能で選択できる収容手段が収容する印刷媒体にない場合でも、選択機能にて一の収容手段を選択することができる。また、本発明によれば、使用者が意図しない収容手段を選択機能が選択するのを防止できる。
【図面の簡単な説明】
【００１０】
【図１】本実施形態の画像形成装置の構成を示す図である。
【図２】画像形成装置において電気的に接続される構成を示すブロック図である。
【図３】原稿読取装置の構成を示す図である。
【図４】原稿供給部の概略構成を示す平面図である。
【図５】スキャナ装置が有する原稿検出センサの配置を示す平面図である。
【図６】システム制御部を機能的に示すブロック図である。
【図７】属性設定処理部の処理手順を示すフローチャートである。
【図８】属性の設定画面（メイン画面）の表示例を示す図である。
【図９】「トレイ優先順位設定」が選択された場合の設定画面の表示例を示す図である。
【図１０】「用紙サイズ設定」が選択された場合の設定画面の表示例を示す図である。
【図１１】「紙質設定」が選択された場合の設定画面の表示例を示す図である。
【図１２】「用紙色設定」が選択された場合の設定画面の表示例を示す図である。
【図１３】自動用紙選択設定処理部の処理手順を示すフローチャートである。
【図１４】自動用紙選択処理部の処理手順を示すフローチャートである。
【図１５】自動用紙選択処理部の自動用紙選択処理の処理手順（サブルーチン）を示すフローチャートである。
【図１６】自動用紙選択処理部の用紙収容部選択処理の処理手順（サブルーチン）を示すフローチャートである。
【図１７】搬送制御部の処理手順を示すフローチャートである。
【図１８】具体例による動作の説明に使用した図である。
【発明を実施するための形態】
【００１１】
図１は、本実施形態の画像形成装置の概略構成図である。図２は、画像形成装置１において電気的に接続される構成を示すブロック図である。
図１及び図２に示すように、画像形成装置１は、原稿読取装置１０及び画像形成装置本体２００を有する。また、図２に示すように、画像形成装置１は、システム制御部２１０、記憶部２０１、操作パネル２０２、画像形成ユニット２２０、画像出力制御部２０３、通信部２０４、及びＨＤＤ（Hard Disk Drive）２０５を有する。図２に示すように、これらシステム制御部２１０等の相互間、及びこれらシステム制御部２１０等と原稿読取装置１０との間は電気的に接続されデータの送受信が可能とされている。また、図２に示すように、システム制御部２１０、記憶部２０１、操作パネル２０２、画像形成ユニット２２０、画像出力制御部２０３、通信部２０４、及びＨＤＤ２０５は、画像形成装置本体２００において構成されている。例えば、システム制御部２１０及び記憶部２０１は、画像形成装置１において演算処理部として構成されている。
【００１２】
システム制御部２１０は、画像形成装置１全体の処理を行うように構成されている。記憶部２０１には、システム制御部２１０や画像出力制御部２０３等が処理に使用するプログラム２０１ａ及びデータ等が記憶されている。システム制御部２１０による処理については後で詳細に説明する。
ここで、プログラム２０１ａは、画像形成装置１の出荷時当初から記憶部２０１に記憶されているものとすることもできるが、出荷後に使用者等の作業によりＣＤ−ＲＯＭ等の記憶媒体から読み込まれて記憶部２０１に記憶されたものとすることもできる。
【００１３】
操作パネル２０２は、使用者に通知する内容を表示する表示デバイス（表示部）と使用者の指示内容が入力される入力部とを有する。操作パネル２０２からの入力情報は、システム制御部２１０や画像出力制御部２０３等に出力される。
通信部２０４は、画像形成装置１が外部機器と通信するためのものである。例えば、通信部２０４は、一般公衆回線を利用してファクシミリ通信を行うためのものである。
【００１４】
原稿読取装置１０は、原稿を読み取って画像データを出力する。図３は、原稿読取装置１０の概略構成を示す図である。図３に示すように、原稿読取装置１０は、原稿送り装置２０、スキャナ装置７０、及び処理装置８０を有する。
原稿送り装置２０は、原稿供給部２１、昇降支持部２２、送り出しロール（ピックアップロール）２３、供給ロール２４、及びリタードロール２５を有する。これら原稿供給部２１等は、原稿送り装置２０において、原稿供給部２１に置かれた原稿を順次搬送する搬送部を構成する。
【００１５】
原稿供給部２１は、原稿を置くことができるような形状をなしている。原稿供給部２１は、異なるサイズの原稿が載置可能となっている。原稿供給部２１は、昇降支持部２２により昇降操作される。
【００１６】
図４は、原稿供給部２１の概略構成を示す平面図である。
図４に示すように、原稿供給部２１の上面には、原稿１０００の両端部（原稿の幅方向の両側）を案内する第１及び第２案内部材２１ａ，２１ｂが設けられている。
【００１７】
第１及び第２案内部材２１ａ，２１ｂは、原稿供給部２１に設けられた溝等により、互いが近づいたり離れたりすることができるようになっている。原稿供給部２１には、案内部材移動センサ６１ａ，６１ｂ，６１ｃが設けられている。案内部材移動センサ６１ａ，６１ｂ，６１ｃは、第１及び第２案内部材２１ａ，２１ｂの移動に連動することで、第１及び第２案内部材２１ａ，２１ｂの移動を検出する。案内部材移動センサ６１ａ，６１ｂ，６１ｃは、検出信号をシステム制御部２１０に出力する。なお、案内部材移動センサ６１ａ，６１ｂ，６１ｃは、図２に示す原稿サイズ検出部６０を構成するものとなる。
【００１８】
図３に示す構成の説明に戻って、送り出しロール２３は、昇降支持部２２により上昇させられた原稿供給部２１上の原稿を原稿送り装置２０内の第１搬送路４１に送り出す。具体的には、送り出しロール２３は、待機中には上昇して退避位置に保持され、原稿を送り出すときにニップ位置（原稿搬送位置）に降下して原稿供給部２１上の原稿（原稿束では最上位の原稿）を第１搬送路４１に送り出す。
【００１９】
供給ロール２４は、送り出しロール２３により送り出された原稿を更に下流側に搬送する。送り出しロール２３及び供給ロール２４は、フィードクラッチ（図示せず）の連結によって原稿を搬送する。リタードロール２５は、送り出しロール２３により供給される原稿を１枚ずつ捌く。
また、原稿送り装置２０は、最初に原稿が搬送される第１搬送路４１に複数のロールを有する。具体的には、原稿送り装置２０は、第１搬送路４１に、テイクアウェイロール２６、プレレジロール２７、レジロール２８、プラテンロール２９、及びアウトロール３０を有する。
【００２０】
テイクアウェイロール２６は、リタードロール２５の下流側にあり、該リタードロール２５により一枚ずつに捌かれた原稿を下流側のプレレジロール２７に搬送する。プレレジロール２７は、テイクアウェイロール２６により搬送されてくる原稿を下流側のレジロール２８に搬送する。
レジロール２８は、原稿の読み込みの開始タイミングに合わせて回転しており、レジストレーション調整を施しながら原稿をプラテンロール２９（スキャナ装置７０）に供給する。
【００２１】
プラテンロール２９は、読み込み中の原稿の搬送を補助する。具体的には、プラテンロール２９は、レジロール２８により供給されてくる原稿をスキャナ装置７０の後述の第２プラテンガラス７２側に押圧する。アウトロール３０は、読み込まれた原稿を更に下流に搬送する。
また、原稿送り装置２０は、第１搬送路４１に搬送原稿検出センサ６２，６３ａ，６３ｂ，６３ｃを有する。搬送原稿検出センサ６２は、供給ロール２４の後段に配置されている。また、搬送原稿検出センサ６３ａ，６３ｂ，６３ｃは、プレレジロール２７とレジロール２８との間に配置されている。搬送原稿検出センサ６３ａ，６３ｂ，６３ｃは、搬送される原稿の幅方向（主走査方向）に並ぶように配置されている。搬送原稿検出センサ６２，６３ａ，６３ｂ，６３ｃは、検出信号をシステム制御部２１０に出力する。
【００２２】
なお、搬送原稿検出センサ６２，６３ａ，６３ｂ，６３ｃは、図２に示す原稿サイズ検出部６０を構成するものとなる。
また、原稿送り装置２０には、アウトロール３０の下流側に、第２搬送路４２及び第３搬送路４３が設けられている。さらに、原稿送り装置２０は、アウトロール３０の下流側に、切替ゲート５２及び第１排出ロール３１を有する。
【００２３】
切替ゲート５２は、第２搬送路４２と第３搬送路４３との切り替えを行い、原稿の搬送方向を切り替える。具体的には、切替ゲート５２は、片面原稿の読み取りを終了したときや両面原稿の両面読み取りを終了したときに、アウトロール３０から供給される原稿を第２搬送路４２に導くように切り替えられる。一方、切替ゲート５２は、片面読み取り後の両面原稿を反転させるために、両面原稿を第３搬送路４３に導くように切り替えられる。
【００２４】
第１排出ロール３１は、片面原稿の読み取り終了等したときに、アウトロール３０から供給される原稿を排出部５４に排出する。排出部５４は、原稿が積載可能な形状をなしている。
また、原稿送り装置２０には、第４搬送路４４及び第５搬送路４５が設けられている。これら第４及び第５搬送路４４，４５と前述の第３搬送路４３は、原稿送り装置２０において、原稿を反転させる搬送路を構成する。そのため、第３搬送路４３と第４搬送路４４とが繋がっており、第４搬送路４４と第５搬送路４５とが繋がっている。さらに、第５搬送路４５と第１搬送路４１とが繋がっている。
【００２５】
原稿送り装置２０は、第４搬送路４４に、インバータロール３２及びインバータピンチロール３３を有する。インバータロール３２及びインバータピンチロール３３は、第３搬送路４３を搬送されてきた原稿をスイッチバックさせる。具体的には、両面原稿を読み取る際に、インバータピンチロール３３は、図示しないフィードクラッチがオフの状態で退避されてニップが開放されて、第３搬送路４３を搬送されてきた原稿を第４搬送路４４に導いている。その後、インバータピンチロール３３はニップされ、インバータロール３２が、第５搬送路４５を介して第１搬送路４１に有るプレレジロール２７に原稿を導いている。
【００２６】
また、原稿送り装置２０には、第６搬送路４６が設けられている。第６搬送路４６は、第３搬送部４３から第４搬送路４４に搬送された原稿を排出部５４に排出するための搬送路となる。原稿送り装置２０は、第６搬送路４６に、切替ゲート５３及び第２排出ロール３４を有する。
【００２７】
切替ゲート５３は、第５搬送路４５と第６搬送路４６との切り替えを行い、原稿の搬送方向を切り替える。具体的には、切替ゲート５３は、原稿を反転して排出させようとするとき、インバータピンチロール３３により搬送されてくる原稿を第６搬送路４６に導くように切り替えられる。第２排出ロール３４は、第６搬送路４６に搬送されてきた原稿を第１排出ロール３１に搬送する。第１排出ロール３１は、インバータピンチロール３３から供給される原稿を排出部５４に排出する。
【００２８】
以上のような原稿読取装置１０の構成により、片面原稿を読み取るときには、原稿供給部２１に置かれた原稿は、送り出しロール２３により原稿送り装置２０内に送り出されて、その後、第１搬送路４１を供給ロール２４、テイクアウェイロール２６、プレレジロール２７、レジロール２８により搬送される。そして、原稿は、スキャナ装置７０の後述の第２プラテンガラス７２上を通過する際にプラテンロール２９により該第２プラテンガラス７２側に押圧され、アウトロール３０に搬送される。その後、原稿は、アウトロール３０により第２搬送路４２に導かれて、第１排出ロール３１により排出部５４に排出される。
【００２９】
また、両面原稿を読み取るときには、片面原稿の読み取りと同様にして片面が読み取られた後、原稿は、アウトロール３０により第３搬送路４３を搬送されて、第４搬送路４４に導かれる。そして、原稿は、第４搬送路４４に有るインバータロール３２及びインバータピンチロール３３によりスイッチバックさせられ、第１搬送路４１に有るプレレジロール２７に導かれる。その後、原稿は、再度、第１搬送路４１をプレレジロール２７、レジロール２８により搬送される。そして、原稿は、スキャナ装置７０の後述の第２プラテンガラス７２上を通過する際に該プラテンロール２９により第２プラテンガラス７２側に押圧され、アウトロール３０に搬送される。その後、原稿は、アウトロール３０により第２搬送路４２に導かれて、第１排出ロール３１により排出部５４に排出される。
【００３０】
スキャナ装置７０は、原稿送り装置２０によって搬送されてきた原稿の画像読み取りを行うように構成されている。
図３に示すように、スキャナ装置７０は、１枚毎置いて原稿の画像を読み取るための第１プラテンガラス７１と、原稿送り装置２０が搬送する原稿を読み取るための第２プラテンガラス７２とを有する。第２プラテンガラス７２は、主走査方向に延びた長尺の板状構造のガラスプレートである。
【００３１】
スキャナ装置７０は、第１プラテンガラス７１上に置かれた原稿の画像を読み取る際には、第１プラテンガラス７１の背面から原稿に向けて照射した光を副走査方向に移動させつつ、その反射光を主走査方向に１次元配列されたＣＣＤ(Charge Coupled Device)イメージセンサで受光していくことで、その読み取りを実施している。
また、スキャナ装置７０は、原稿送り装置２０が搬送する原稿の画像を読み取る際には、第２プラテンガラス７２上を通過する原稿に向けて第２プラテンガラス７２の背面から照射した光の反射光を前記ＣＣＤイメージセンサで受光していくことで、その読み取りを実施している。
【００３２】
図５は、スキャナ装置７０が有する原稿検出センサ７３ａ，７３ｂの配置を示す平面図である。原稿検出センサ７３ａ，７３ｂは、第１プラテンガラス７１の背面側に配置されている。原稿検出センサ７３ａ，７３ｂは、副走査方向に並ぶように配置されている。原稿検出センサ７３ａ，７３ｂは、検出信号をシステム制御部２１０に出力する。また、図５に示すように、ＣＣＤイメージセンサ７４は、主走査方向に沿って配置されている。
【００３３】
図２及び図３に示す処理装置８０は、ＣＣＤイメージセンサ７４が得た画像信号を処理する。具体的には、処理装置８０は、入力される画像信号を画像データ（ディジタル信号）に変換する。画像データは、画像メモリ８１に書き込まれ、処理装置８０は、その画像メモリ８１上の画像データに対してシェーディング補正やオフセット補正等の各種処理を施す。処理装置８０は、各種処理を施した画像データを画像出力制御部２０３に出力する。
【００３４】
図１及び図２に示す画像出力制御部２０３は、原稿読取装置１０（処理装置８０）からの画像データが入力されると、その画像データを基に、電子写真方式で用紙に画像形成する。そのため、図１に示すように、画像形成ユニット２２０は、感光体ドラム２２１、画像書込装置２２２、現像器２２３、転写ローラ２２４、分離帯電器２２５、定着器２２６、及びクリーナー２２７を有する。画像形成ユニット２２０は、このような構成により、次のように用紙に画像形成をする。
【００３５】
感光体ドラム２２１では、図示しない帯電器によって表面が帯電された後、画像出力制御部２１０が得た画像データを基に、画像書込装置２２２により露光され、静電潜像が形成される。一方、現像器２２３では、図示しないトナー収納容器からトナーが供給され、現像器２２３の内部で撹拌される。感光体ドラム２２１上に形成される静電潜像は、現像器２２３の例えば現像ローラを介して現像されて、感光体ドラム２２１上にトナー像が形成される。感光体ドラム２２１上に形成されたトナー像は、転写ローラ２２４が感光体ドラム２２１に接触して構成されている転写部にて用紙に転写され、定着器２２５にて加熱定着される。そして、トナー像が転写された用紙は、分離帯電器２２５により感光体ドラム２２１から分離される。一方、転写後に感光体ドラム２２１上に残る残留トナーは、クリーナー２２７により感光体ドラム２２１上から剥ぎ取られて回収される。
【００３６】
なお、画像形成装置１としては、白黒の画像形成を行うもののみならず、カラーの画像形成を行うものについても本実施形態を適用することができる。
また、画像形成装置本体２００には、画像形成装置本体２００の下側に用紙収容部２４１，２４２，２４３，２４４が内装されている。用紙収容部２４１，２４２，２４３，２４４は、用紙束が積載可能な形状をなしている。この用紙収容部２４１，２４２，２４３，２４４は、画像形成装置本体２００内で上下方向に配列されて、それぞれが用紙搬送路２５１に隣り合うように配置されている。
【００３７】
画像形成の際には、用紙収容部２４１，２４２，２４３，２４４に収容されている用紙は、１枚ずつ用紙搬送路２５１に送り出され、用紙搬送路２５１に配置された搬送ロール２５２によって感光体ドラム２２１手前のレジストロール２５３に搬送される。そして、用紙は、レジストロール２５３によって感光体ドラム２２１の動作と同期して、感光体ドラム２２１に供給される。
【００３８】
そして、感光体ドラム２２１からトナー像が転写された用紙は、搬送ベルト２５４によって定着器２２６に搬送される。用紙は、この定着器２２６で熱及び圧力によってトナー像が定着される。そして、用紙は、排出ロール２５５により搬送されて排出トレイ２６０に排出される。
【００３９】
また、用紙の両面に画像形成する際には、片面に画像が形成された用紙をそのまま排出トレイ２６０に排出せずに、搬送経路を切り換えて用紙を反転経路２５６に一旦搬送する。そして、反転経路２５６から搬送路２５７に搬送することで、用紙は、反転されて、感光体ドラム２２１に供給される。そして、用紙は、裏面に画像が複写された後に排出トレイ２６０に排出される。
【００４０】
次に、システム制御部２１０の処理等について詳しく説明する。
図６は、システム制御部２１０を機能的に示すブロック図である。
図６に示すように、システム制御部２１０は、属性設定処理部２１１、自動用紙選択設定処理部２１２、自動用紙選択処理部２１３、及び搬送制御部２１４を有する。
【００４１】
図７は、属性設定処理部２１１の処理手順を示すフローチャートである。
図７に示すように、先ずステップＳ１において、属性設定処理部２１１は、用紙収容部の属性設定が開始されたか否かを判定する。例えば、属性設定処理部２１１は、操作パネル２０２からの入力情報を基に、用紙収容部の属性設定を開始する操作が使用者によりなされたか否かを判定する。属性設定処理部２１１は、用紙収容部の属性設定が開始されたと判定したとき、ステップＳ２に進む。
ステップＳ２では、属性設定処理部２１１は、操作パネル２０２の表示部に属性の設定画面を表示する。
【００４２】
図８乃至図１２は、属性の設定画面３００の表示例を示す。この図８乃至図１２を用いて、属性の設定手順について説明する。
先ず、図８に示すように、属性の設定画面（メイン画面）３００には、属性の設定が可能な用紙収容部（用紙収容部の番号）を表すものとして、「給紙トレイ」について「１」、「２」、「３」、「４」（３０１乃至３０４の符号を付す文字）が表示される。また、属性の設定画面３００には、設定する用紙収容部の属性を表すものとして、「トレイ優先順位設定」、「用紙サイズ設定」、「紙質設定」、「用紙色設定」（３０５乃至３０８の符号を付す文字）が表示される。ここで、「トレイ優先順位設定」は、自動用紙選択機能（自動用紙選択モード、ＡＰＳ（Auto Paper Select））において選択される用紙収容部の優先順位の設定をするためのものである。また、「紙質設定」は、用紙収容部に収容される用紙の紙質を設定するためのものである。また、「用紙色設定」は、用紙収容部に収容される用紙の色を設定するためのものである。
【００４３】
このような属性の設定画面３００により、例えば、使用者は、操作パネル２０２を操作して、「１」を選択した後「トレイ優先順位設定」を選択し、その後、「決定」（３０９の符号を付す文字）を選択することで、「１」に対応する用紙収容部（例えば最上段の用紙収容部）の優先順位を設定することができる。
【００４４】
図９は、「トレイ優先順位設定」が選択された場合の設定画面３００の例である。
図９に示すように、この設定画面３００には、属性として設定が可能な優先順位として、「１」、「２」、「３」、「４」、「Ｘ」（３１１乃至３１５の符号を付す文字）が表示される。ここで、「１」、「２」、「３」、「４」の順序で優先順位が低くなる。また、「Ｘ」を設定した場合には、その設定がされた用紙収容部は、自動用紙選択機能で選択されないようになる。すなわち、「Ｘ」が設定された用紙収容部は、自動用紙選択機能において選択禁止の用紙収容部となる。
【００４５】
このような設定画面３００により、例えば、使用者は、操作パネル２０２を操作して、「１」を選択した後「決定」（３１６の符号を付す文字）を選択することで、属性の設定対象の用紙収容部（「給紙トレイ」で選択された用紙収容部）の優先順位を一番高いものに設定できる。
【００４６】
図１０は、「用紙サイズ設定」が選択された場合の設定画面３００の例である。
図１０に示すように、この設定画面３００には、属性として設定が可能な用紙サイズとして、「Ａ３」、「Ａ４」、「Ｂ４」（３２１乃至３２３の符号を付す文字）、・・・が表示される。
このような設定画面３００により、例えば、使用者は、操作パネル２０２を操作して、「Ａ４」を選択した後「決定」（３２４の符号を付す文字）を選択することで、属性の設定対象の用紙収容部（「給紙トレイ」で選択された用紙収容部）に収容される用紙サイズがＡ４であることを設定できる。
【００４７】
図１１は、「紙質設定」が選択された場合の設定画面３００の例である。
図１１に示すように、この設定画面３００には、属性の設定が可能な紙質として、「普通紙」、「再生紙」、「上質紙」（３３１乃至３３３の符号を付す文字）、・・・が表示される。
このような設定画面３００により、例えば、使用者は、操作パネル２０２を操作して、「普通紙」を選択した後「決定」（３３４の符号を付す文字）を選択することで、属性の設定対象の用紙収容部（「給紙トレイ」で選択された用紙収容部）に収容される用紙の紙質が普通紙であることを設定できる。
【００４８】
図１２は、「用紙色設定」が選択された場合の設定画面３００の例である。
図１２に示すように、この設定画面３００には、属性設定が可能な用紙色として、「白」、「青」、「黄」（３４１乃至３４３の符号を付す文字）、・・・が表示される。
このような設定画面３００により、例えば、使用者は、操作パネル２０２を操作して、「白」を選択した後「決定」（３４４の符号を付す文字）を選択することで、属性の設定対象の用紙収容部（「給紙トレイ」で選択された用紙収容部）に収容される用紙の色が白色であることを設定できる。
【００４９】
そして、図７のステップＳ３において、属性設定処理部２１１は、以上のような属性の設定が終了したか否かを判定する。例えば、属性設定処理部２１１は、操作パネル２０２からの入力情報を基に、用紙収容部の属性設定を終了する操作が使用者によりなされたか否かを判定する。属性設定処理部２１１は、属性の設定が終了したと判定すると、ステップＳ４に進む。
【００５０】
ステップＳ４では、属性設定処理部２１１は、設定された属性の設定情報を取得して、その取得した属性の設定情報を記憶部２０１に記憶する。そして、属性設定処理部２１１は、該図７に示す処理を終了する。
以下の説明では、前記処理により用紙収容部の属性として設定された用紙サイズの情報を属性設定用紙サイズとも言い、前記処理により用紙収容部の属性として設定された用紙の紙質の情報を属性設定紙質とも言う。
【００５１】
図１３は、自動用紙選択設定処理部２１２の処理手順を示すフローチャートである。
図１３に示すように、先ずステップＳ２１において、自動用紙選択設定処理部２１２は、自動用紙選択機能のための紙質設定が開始されたか否かを判定する。例えば、自動用紙選択設定処理部２１２は、操作パネル２０２からの入力情報を基に、自動用紙選択機能のための紙質設定（自動用紙選択機能の対象紙質の設定）をするための操作が使用者によりなされたか否かを判定する。自動用紙選択設定処理部２１２は、自動用紙選択機能のための紙質設定が開始されたと判定したとき、ステップＳ２２に進む。
【００５２】
ステップＳ２２では、自動用紙選択設定処理部２１２は、操作パネル２０２の表示部に自動用紙選択機能で選択可能な用紙の紙質の設定画面を表示する。これにより、使用者は、操作パネル２０２を操作して、自動用紙選択機能で選択する用紙の紙質を「普通紙」、「再生紙」等に設定できる。
【００５３】
続くステップＳ２３において、自動用紙選択設定処理部２１２は、紙質の設定が終了したか否かを判定する。例えば、自動用紙選択設定処理部２１２は、操作パネル２０２からの入力情報を基に、紙質の設定を終了する操作が使用者によりなされたか否かを判定する。自動用紙選択設定処理部２１２は、紙質の設定が終了したと判定すると、ステップＳ２４に進む。
【００５４】
ステップＳ２４では、自動用紙選択設定処理部２１２は、設定された紙質の情報を取得して、その取得した紙質の情報を記憶部２０１に記憶する。そして、自動用紙選択設定処理部２１２は、該図１３に示す処理を終了する。
例えば、画像形成装置１の初期設定時や原稿を複製する度に、以上の自動用紙選択機能のための紙質設定を行うことができる。
【００５５】
以下の説明では、前記処理により自動用紙選択機能のために設定された紙質を自動用紙選択設定紙質とも言う。
図１４は、自動用紙選択処理部２１３の処理手順を示すフローチャートである。
図１４に示すように、先ずステップＳ４１において、自動用紙選択処理部２１３は、操作パネル２０２からの入力情報を基に、原稿の複製の開始ボタンが押されたか否かを判定する。自動用紙選択処理部２１３は、原稿の複製の開始ボタンが押されたと判定したとき、ステップＳ４２に進む。
【００５６】
ステップＳ４２では、自動用紙選択処理部２１３は、自動用紙選択機能のために設定された情報を取得する。すなわち、自動用紙選択処理部２１３は、図１３に示す処理において自動用紙選択設定処理部２１２が記憶部２０１に記憶した自動用紙選択設定紙質を取得する。さらに、自動用紙選択処理部２１３は、操作パネル２０２からの入力情報を基に、原稿の複製倍率の情報を取得する。
【００５７】
続くステップＳ４３において、自動用紙選択処理部２１３は、原稿の用紙サイズを検出する。
具体的には、自動用紙選択処理部２１３は、図３に示す第１プラテンガラス７１上に置かれた原稿の画像を読み取って原稿を複製するときには、図５に示すＣＣＤイメージセンサ７４の検出信号を基に、原稿の主走査方向の長さ（原稿幅）を検出する。例えば、ＣＣＤイメージセンサ７４のオン及びオフの状態から１ｍｍ単位で原稿の主走査方向の長さを検出できる。また、このとき、自動用紙選択処理部２１３は、原稿検出センサ７３ａ，７３ｂの検出信号から得たセンサのオン及びオフの状態を基に、原稿の副走査方向の長さ（原稿長）を検出する。
【００５８】
また、自動用紙選択処理部２１３は、図３に示す第２プラテンガラス７２を介して原稿の画像を読み取って原稿を複製するとき、すなわち、自動原稿送りにより原稿の画像を読み取って複製するときには、図４に示す案内部材移動センサ６１ａ，６１ｂ，６１ｃ及び搬送原稿検出センサ６３ａ，６３ｂ，６３ｃの検出信号から得たセンサのオン及びオフの状態を基に、原稿の主走査方向の長さ（原稿幅）を検出する。また、このとき、自動用紙選択処理部２１３は、搬送原稿検出センサ６２ａ，６２ｂ，６２ｃの検出信号を基に第１搬送路４１を搬送制御される原稿の先端と後端の通過時間を得て、その通過時間を基に、原稿の副走査方向の長さ（原稿長）を検出する。
【００５９】
また、第２プラテンガラス７２において異なるサイズの原稿の画像を読み取って複製するとき、すなわち、混合サイズ原稿複製モードのときには、自動用紙選択処理部２１３は、搬送原稿検出センサ６３ａ，６３ｂ，６３ｃのオン及びオフの状態（その組み合わせ）を基に、原稿の主走査方向の長さ（原稿幅）を検出する。
続くステップＳ４４において、自動用紙選択処理部２１３は、自動用紙選択機能のための自動用紙選択処理を行う。
【００６０】
ここで、自動用紙選択機能とは、画像形成に用いる用紙収容部として、読み取った原稿の用紙サイズ及び原稿の複製倍率を基に選択した大きさで、かつ予め情報として設定した用紙の紙質（自動用紙選択設定紙質）を満たす用紙が収容される用紙収容部を選択する機能である。
しかし、このような自動用紙選択処理では、用紙収容部２４１，２４２，２４３，２４４の収容用紙に自動用紙選択機能のために予め設定した紙質の用紙がないと、用紙の選択処理ができないため、原稿の複製を開始できなくなってしまうと考えられる。この場合、上位の制御手段から送られてきた制御命令を中止してしまうと考えられる。
【００６１】
その一方で、用紙収容部２４１，２４２，２４３，２４４の収容用紙に自動用紙選択機能のために予め設定した紙質の用紙がない場合でも、使用者によっては、用紙収容部２４１，２４２，２４３，２４４の既存の収容用紙を使用して複製を実行してほしい場合がある。
このようなことから、以下では、用紙収容部２４１，２４２，２４３，２４４の収容用紙に自動用紙選択機能のために予め設定した紙質（自動用紙選択設定紙質）の用紙がない場合でも、自動用紙選択機能による用紙の選択を可能にして、複製の実行を可能にする構成を説明する。
【００６２】
図１５は、そのような自動用紙選択機能による用紙の選択を可能とする処理のフローチャートを示す。この処理は、前記ステップＳ４４のサブルーチンとなる。
図１５に示すように、先ずステップＳ６１において、自動用紙選択処理部２１３は、イメージサイズ計算をする。すなわち、自動用紙選択処理部２１３は、前記ステップＳ４２で取得した原稿の複製倍率の情報及び前記ステップＳ４３で検出した原稿の用紙サイズを基に、イメージサイズを算出する（例えば、イメージサイズ＝複製倍率×原稿の用紙サイズ）。
【００６３】
続くステップＳ６２において、自動用紙選択処理部２１３は、複製に使用する用紙の用紙サイズを選択する。具体的には、自動用紙選択処理部２１３は、前記ステップＳ６１で算出したイメージサイズが入るサイズで、かつそのサイズのうち一番小さい定形サイズを用紙サイズとして選択する。
続くステップＳ６３において、自動用紙選択処理部２１３は、用紙収容部選択処理を行う。
【００６４】
図１６は、このステップＳ６３のサブルーチンを示すフローチャートである。
図１６に示すように、先ずステップＳ８１において、自動用紙選択処理部２１３は、該当の用紙サイズに一致する用紙収容部を検索する。ここで、該当の用紙サイズとは、前記ステップＳ６２で選択した用紙サイズ（以下、選択用紙サイズという。）である。このようなことから、このステップＳ８１では、自動用紙選択処理部２１３は、記憶部２０１に記憶されている用紙収容部の属性の設定情報を基に、選択用紙サイズに一致する属性設定用紙サイズが設定されている用紙収容部を検索する。
【００６５】
続くステップＳ８２において、自動用紙選択処理部２１３は、前記ステップＳ８１の検索結果を基に、選択用紙サイズが一致する用紙収容部が有るか否かを判定する。自動用紙選択処理部２１３は、選択用紙サイズが一致する用紙収容部が有ると判定すると、すなわち、選択用紙サイズに一致する属性設定用紙サイズが設定されている用紙収容部が有る場合、ステップＳ８３に進む。また、自動用紙選択処理部２１３は、選択用紙サイズが一致する用紙収容部が無いと判定すると、ステップＳ９０に進む。
【００６６】
ステップＳ９０では、自動用紙選択処理部２１３は、選択用紙サイズが一致する用紙収容部が無いため、戻り値（トレイ選択結果）に"ＮＧ"を設定する。さらに、自動用紙選択処理部２１３は、戻り値に"ＮＧ"を設定した理由の種別を設定する。例えば、フラグＮＧＦＬＧに１に設定する（ＮＧＦＬＧ＝１）。そして、自動用紙選択処理部２１３は、該図１６（ステップＳ６３）の処理を終了する。
【００６７】
ステップＳ８３では、自動用紙選択処理部２１３は、自動用紙選択設定紙質が設定されているか否かを判定する。すなわち、自動用紙選択処理部２１３は、自動用紙選択設定紙質が記憶部２０１に記憶されているか否かを判定する。自動用紙選択処理部２１３は、自動用紙選択設定紙質が設定されていると判定すると、ステップＳ８４に進む。また、自動用紙選択処理部２１３は、自動用紙選択設定紙質が設定されていないと判定すると、ステップＳ９１に進む。
【００６８】
ステップＳ９１では、自動用紙選択処理部２１３は、選択紙質情報に"Ｎｕｌｌ"を設定（紙質設定がなされていないことを設定）する。そして、自動用紙選択処理部２１３は、ステップＳ９２に進む。
ステップＳ８４では、自動用紙選択処理部２１３は、選択用紙サイズが一致する用紙収容部の紙質を確認する。具体的には、自動用紙選択処理部２１３は、記憶部２０１に記憶されている属性設定紙質を確認する。
【００６９】
続くステップＳ８５において、自動用紙選択処理部２１３は、前記ステップＳ８４の処理結果を基に、紙質の種類が１種類か否かを判定する。すなわち、自動用紙選択処理部２１３は、選択用紙サイズが一致する用紙収容部全てについて唯一の属性設定紙質が設定されているか否かを判定する。自動用紙選択処理部２１３は、紙質の種類が１種類であると判定すると、ステップＳ８６に進む。また、自動用紙選択処理部２１３は、紙質の種類が複数種類であると判定すると、ステップＳ８７に進む。
【００７０】
ステップＳ８６では、自動用紙選択処理部２１３は、選択紙質情報に１種類の紙質を設定する。すなわち、自動用紙選択処理部２１３は、前記ステップＳ８５において唯一の属性設定紙質が設定されていると判定した場合のその属性設定紙質を選択紙質情報に設定する。そして、自動用紙選択処理部２１３は、ステップＳ９２に進む。
【００７１】
ステップＳ８７では、自動用紙選択処理部２１３は、自動用紙選択設定紙質に一致する紙質が有るか否かを判定する。すなわち、自動用紙選択処理部２１３は、前記ステップＳ８５で複数種類あると判定したその複数の属性設定紙質に自動用紙選択設定紙質に一致するものがあるか否かを判定する。自動用紙選択処理部２１３は、自動用紙選択設定紙質に一致する紙質が有ると判定すると、ステップＳ８８に進む。また、自動用紙選択処理部２１３は、自動用紙選択設定紙質に一致する紙質が無いと判定すると、ステップＳ８９に進む。すなわち、自動用紙選択処理部２１３は、複数の属性設定紙質の何れも自動用紙選択設定紙質に一致しないとき、ステップＳ８９に進む。
【００７２】
ステップＳ８８において、自動用紙選択処理部２１３は、選択紙質情報に自動用紙選択設定紙質を設定する。そして、自動用紙選択処理部２１３は、ステップＳ９２に進む。
ステップＳ８９では、自動用紙選択処理部２１３は、複数の属性設定紙質の何れもが自動用紙選択設定紙質に一致しないため、自動用紙選択機能で一の用紙を選択できないとして、戻り値に"ＮＧ"を設定する。さらに、自動用紙選択処理部２１３は、戻り値に"ＮＧ"を設定した理由の種別を設定する。例えば、フラグＮＧＦＬＧに２に設定する（ＮＧＦＬＧ＝２）。そして、自動用紙選択処理部２１３は、該図１６（ステップＳ６３）の処理を終了する。
【００７３】
ステップＳ９２では、自動用紙選択処理部２１３は、前記ステップＳ８６、ステップＳ８８、又はステップＳ９１の何れかで設定された選択紙質かつ選択用紙サイズを満たす用紙収容部を検索して選定する。
例えば、前記ステップＳ９１の処理により選択紙質情報に"Ｎｕｌｌ"が設定されている場合において、選択用紙サイズが一致する用紙収容部が複数存在するときには、用紙収容部の属性に設定されている優先順位の情報を基に、より優先順位の高い用紙収容部を選定する。
【００７４】
続くステップＳ９３において、自動用紙選択処理部２１３は、前記ステップＳ９２の選定した用紙収容部に用紙が有るか否かを判定する。自動用紙選択処理部２１３は、用紙が有る場合、ステップＳ９４に進む。また、自動用紙選択処理部２１３は、用紙が無い場合、ステップＳ９５に進む。
ステップＳ９４では、自動用紙選択処理部２１３は、戻り値に"ＯＫ"を設定するとともに、前記ステップＳ９２及びステップＳ９３の条件を満たす用紙収容部の番号を取得する。そして、自動用紙選択処理部２１３は、該図１６（ステップＳ６３）の処理を終了する。
【００７５】
ステップＳ９５では、自動用紙選択処理部２１３は、自動用紙選択機能で選択する用紙収容部に用紙が無いため、戻り値に"ＮＧ"を設定する。さらに、自動用紙選択処理部２１３は、戻り値に"ＮＧ"を設定した理由の種別を設定する。例えば、フラグＮＧＦＬＧに３に設定する（ＮＧＦＬＧ＝３）。そして、自動用紙選択処理部２１３は、該図１６（ステップＳ６３）の処理を終了する。
【００７６】
以上が図１５のステップＳ６３の処理になる。
続く図１５のステップＳ６４において、自動用紙選択処理部２１３は、前記ステップＳ６３で設定したトレイ選択結果（戻り値）が"ＯＫ"か否かを判定する。自動用紙選択処理部２１３は、トレイ選択結果が"ＯＫ"であると判定すると、ステップＳ６５に進む。また、自動用紙選択処理部２１３は、トレイ選択結果（戻り値）が"ＮＧ"であると判定すると、ステップＳ６６に進む。
【００７７】
続くステップＳ６５において、自動用紙選択処理部２１３は、自動用紙選択機能で選択する用紙収容部を確定する。すなわち、自動用紙選択処理部２１３は、前記ステップＳ９４で取得した番号の用紙収容部を自動用紙選択機能で選択する用紙収容部として確定する。そして、自動用紙選択処理部２１３は、該図１５（ステップＳ４４）の処理を終了する。
【００７８】
ステップＳ６６では、自動用紙選択処理部２１３は、エラー処理をする。具体的には、自動用紙選択処理部２１３は、操作パネル２０２の表示部にエラー表示をする。このとき、自動用紙選択処理部２１３は、トレイ選択結果が"ＮＧ"となった要因（フラグＮＧＦＬＧ）に応じたエラー表示をする。例えば、自動用紙選択処理部２１３は、前記ステップＳ９０の処理が実施されている場合（該当の用紙サイズがない場合、ＮＧＦＬＧ＝１）、使用者に用紙収容部を選択させるための指示を操作パネル２０２の表示部に表示する。また、自動用紙選択処理部２１３は、前記ステップＳ８９の処理が実施されている場合（自動用紙選択機能で用紙収容部を選択できない場合、ＮＧＦＬＧ＝２）、使用者に用紙収容部を選択させるための指示を操作パネル２０２の表示部に表示する。また、自動用紙選択処理部２１３は、前記ステップＳ９５の処理が実施されている場合（自動用紙選択機能で選択する用紙収容部に用紙が無い場合、ＮＧＦＬＧ＝３）、使用者に該当する用紙収容部に用紙を補給させるための指示を操作パネル２０２の表示部に表示する。そして、自動用紙選択処理部２１３は、該図１５（ステップＳ４４）の処理を終了する。
【００７９】
以上が自動用紙選択処理部２１３の処理になる。
図１７は、搬送制御部２１４の処理手順を示すフローチャートである。
図１７に示すように、先ずステップＳ１１１において、搬送制御部２１４は、搬送ロール２５２等を駆動制御することで、自動用紙選択処理部２１３が確定した用紙収容部から用紙を画像形成ユニット２２０に搬送する。そして、ステップＳ１１２において、搬送制御部２１４は、排出ロール２５５を駆動制御することで、画像形成ユニット２２０により画像形成された用紙を排出トレイ２６０に排出する。
【００８０】
以上のような画像形成装置１における原稿を複製する場合の動作は次のようになる。
原稿供給部２１に原稿が置かれて、使用者により、操作パネル２０２の開始ボタンが押されると、原稿読取装置１０は、第１プラテンガラス７１上に原稿が置かれている場合には、その原稿の画像を読み取る。そして、原稿読取装置１０は、読み取って取得した画像データに対して処理装置８０にて様々な処理を行う。原稿読取装置１０は、その処理済みの画像データを画像出力制御部２０３に出力する。
【００８１】
また、原稿読取装置１０は、原稿供給部２１に原稿が置かれている場合には、その原稿の読み取りを開始する。これにより、原稿読取装置１０は、原稿供給部２１に置かれている原稿を一枚ずつスキャナ装置７０の第２プラテンガラス７２に送り、スキャナ装置７０により原稿の画像を読み取る。そして、原稿読取装置１０は、読み取って取得した画像データに対して処理装置８０にて様々な処理を行う。原稿読取装置１０は、その処理済みの画像データを順次、画像出力制御部２０３に出力していく。
【００８２】
一方、自動用紙選択処理部２１３は、自動用紙選択設定紙質、原稿の複製倍率、及び原稿の用紙サイズ等の各種情報を取得する（ステップＳ４１、ステップＳ４２、ステップＳ４３）。そして、自動用紙選択処理部２１３は、原稿の複製倍率及び原稿の用紙サイズを基に、イメージサイズを算出し、その算出したイメージサイズから定形サイズの用紙サイズを選択する（ステップＳ６１、ステップＳ６２）。
【００８３】
そして、自動用紙選択処理部２１３は、選択用紙サイズが一致する用紙収容部の有無、自動用紙選択設定紙質の設定の有無、及び属性設定紙質等を基に、次のような種々の処理を行う。
自動用紙選択処理部２１３は、選択用紙サイズが一致する用紙収容部が無いとき、戻り値に"ＮＧ"を設定する（ステップＳ８２、ステップＳ９０）。
【００８４】
また、自動用紙選択処理部２１３は、選択用紙サイズが一致する用紙収容部が有り、自動用紙選択設定紙質の設定が有り、かつ選択用紙サイズが一致する用紙収容部の属性設定紙質の種類が１種類のとき、選択紙質情報にその紙質（該１種類の属性設定紙質）を設定する（ステップＳ８２、ステップＳ８３、ステップＳ８４、ステップＳ８５、ステップＳ８６）。
【００８５】
また、自動用紙選択処理部２１３は、選択用紙サイズが一致する用紙収容部が有り、自動用紙選択設定紙質の設定が有り、かつ選択用紙サイズが一致する用紙収容部の属性設定紙質の種類が複数種類有るとき、その複数種類の紙質の何れかが自動用紙選択設定紙質と一致する場合に限り、選択紙質情報にその一致する紙質（自動用紙選択設定紙質）を設定する（ステップＳ８２、ステップＳ８３、ステップＳ８４、ステップＳ８５、ステップＳ８７、ステップＳ８８）。また、自動用紙選択処理部２１３は、この場合に、その複数種類の紙質の何れとも自動用紙選択設定紙質が一致しないときには、戻り値に"ＮＧ"を設定する（ステップＳ８２、ステップＳ８３、ステップＳ８４、ステップＳ８５、ステップＳ８７、ステップＳ８９）。
【００８６】
また、自動用紙選択処理部２１３は、選択用紙サイズが一致する用紙収容部が有るが、自動用紙選択設定紙質の設定が無いときには、選択紙質情報に"Ｎｕｌｌ"を設定する（ステップＳ８２、ステップＳ８３、ステップＳ９１）。
そして、自動用紙選択処理部２１３は、以上のような選択紙質情報の設定をした場合において、その選択紙質かつ選択用紙サイズを満たす用紙収容部が有り、かつその用紙収容部に用紙が有るときに、戻り値に"ＯＫ"を設定して、その用紙収容部の番号を取得する（ステップＳ９２、ステップＳ９３、ステップＳ９４）。一方、自動用紙選択処理部２１３は、その用紙収容部に用紙が無いときには、戻り値に"ＮＧ"を設定する（ステップＳ９２、ステップＳ９３、ステップＳ９５）。
【００８７】
そして、自動用紙選択処理部２１３は、トレイ選択結果（戻り値）に"ＮＧ"を設定した場合、トレイ選択結果が"ＮＧ"となった要因（フラグＮＧＦＬＧ）に応じたエラー表示をする（ステップＳ６４、ステップＳ６６）。
一方、自動用紙選択処理部２１３は、トレイ選択結果（戻り値）に"ＯＫ"を設定した場合、用紙収容部の番号を自動用紙選択機能で選択するものとして確定する（ステップＳ６４、ステップＳ６５）。これにより、搬送制御部２１４は、搬送ロール２５２等を駆動制御して、自動用紙選択処理部２１３が確定した用紙収容部から用紙を画像形成ユニット２２０に搬送する（ステップＳ１１１）。
【００８８】
そして、画像出力制御部２０３は、画像データを基に画像形成ユニット２２０を制御して、用紙に画像形成をする。そして、搬送制御部２１４は、排出ロール２５５を駆動制御することで、画像形成ユニット２２０により画像形成された用紙を排出トレイ２６０に排出する（ステップＳ１１２）。
ここで、図１８を用いて具体例による動作を説明する。
【００８９】
図１８に示すように、番号「１」の用紙収容部２４１には、「Ａ４」の用紙サイズ、「普通紙」の紙質がそれぞれ属性として設定されているものとする。また、番号「２」の用紙収容部２４２には、「Ａ４」の用紙サイズ、「裏紙」の紙質がそれぞれ属性として設定されているものとする。また、番号「３」の用紙収容部２４３には、「Ａ４」の用紙サイズ、「上質紙」の紙質がそれぞれ属性として設定されているものとする。また、番号「４」の用紙収容部２４４には、「Ａ３」の用紙サイズ、「再生紙」の紙質がそれぞれ属性として設定されているものとする。なお、全ての用紙収容部２４１，２４２，２４３，２４４は、トレイ優先順位設定において「Ｘ」が設定されておらず、自動用紙選択機能において全てがある優先順位に従って選択可能になっているものとする。
【００９０】
このように属性が設定されている場合において、自動用紙選択設定紙質として「普通紙」が設定されていると、自動用紙選択機能では、選択用紙サイズが「Ａ４」の用紙サイズとなったときには、「１」の用紙収容部２４１を選択する（ステップＳ８８、ステップＳ６５）。
また、このように属性が設定されている場合において、自動用紙選択設定紙質の設定がなされていないと、自動用紙選択機能では、選択用紙サイズが「Ａ４」の用紙サイズとなったときには、属性として設定したトレイ優先順位に従って、用紙収容部を選択する（ステップＳ９１、ステップＳ９２、ステップＳ６５）。
【００９１】
また、このように属性が設定されている場合において、自動用紙選択設定紙質として「普通紙」、「裏紙」、「上質紙」以外の紙質が設定されていると、自動用紙選択機能では、選択用紙サイズが「Ａ４」の用紙サイズとなったときには、エラー処理をするようになる（ステップＳ８９、ステップＳ６６）。
また、このように属性が設定されている場合において、自動用紙選択設定紙質として「普通紙」が設定されていると、自動用紙選択機能では、選択用紙サイズが「Ａ３」の用紙サイズとなったときには、自動用紙選択設定紙質と属性設定紙質とが一致しなくても、「４」の用紙収容部２４４を選択する（ステップＳ８６、ステップＳ６５）。
【００９２】
ここで、「Ａ４」の用紙サイズと「Ａ３」の用紙サイズとが自動用紙選択機能で選択されるモードとなる混合サイズ原稿複製モードの場合を考える。
この場合でも、自動用紙選択設定紙質として「普通紙」が設定されていると、自動用紙選択機能では、選択用紙サイズが「Ａ４」の用紙サイズとなったときには、「１」の用紙収容部２４１を選択する。そして、自動用紙選択機能では、選択用紙サイズが「Ａ３」の用紙サイズに切り替わると、「４」の用紙収容部２４４を選択するようになる。
【００９３】
例えば、一般的に、画像形成装置には、使用頻度が高い「Ａ４」の用紙サイズについては複数種類の紙質の用紙を複数の用紙収容部に収容する一方で、使用頻度が低い「Ａ３」の用紙サイズについては「再生紙」等、一種類の紙質の用紙を一の用紙収容部に収容していることが多い。
【００９４】
本実施形態では、このような状況下でも、「Ａ３」の用紙サイズを収容する一の用紙収容部の用紙の紙質が自動用紙選択設定紙質として設定されていない場合には、自動用紙選択機能において該用紙収容部の用紙が選択されるようになる。これにより、混合サイズ原稿複製モードでも、印刷要求の実行を「Ａ３」の用紙サイズの複製段階で中断してしまうようなこともなく、印刷要求に従い印刷を完了させられる。
【００９５】
前述のように、本実施形態では、画像形成装置１は、複製倍率及び原稿の用紙サイズを基に選択した選択用紙サイズに対応する属性設定用紙サイズで、かつ自動用紙選択設定紙質に対応する属性設定紙質の用紙が収容される用紙収容部を選択する自動用紙選択機能を有する。そして、画像形成装置１は、その自動用紙選択機能で選択できる用紙収容部についての属性設定紙質が単一種類の場合、該自動用紙選択機能において、自動用紙選択設定紙質が前記単一種類に対応しないときでも、前記単一種類の属性設定紙質で、かつ選択用紙サイズに対応する属性設定用紙サイズの印刷媒体が収容される用紙収容部を選択している（ステップＳ８６、ステップＳ６５）。すなわち、前記単一種類と自動用紙選択設定紙質の種類との一致及び不一致にかかわらず、前記単一種類の属性設定紙質の用紙が収容される用紙収容部を選択している。
【００９６】
これにより、画像形成装置１は、自動用紙選択機能のために予め設定した用紙の紙質（自動用紙選択設定紙質）が、自動用紙選択機能で選択可能な用紙収容部の用紙にない場合でも、自動用紙選択機能にて一の用紙収容部を選択できる。
この結果、画像形成装置１は、使用者が意図する可能性がより高い用紙を自動用紙選択機能にて選択できる。
【００９７】
また、本実施形態では、画像形成装置１は、自動用紙選択機能で選択できる用紙収容部が選択用紙サイズに対応する属性設定用紙サイズについて複数種類の印刷媒体を収容しており、自動用紙選択設定紙質がその複数種類の何れにも対応しないとき、戻り値に"ＮＧ"を設定することで、自動用紙選択機能において、該用紙収容部の選択をしないようにしている（ステップＳ８９、ステップＳ６６）。
【００９８】
これにより、画像形成装置１は、使用者が意図しない用紙が自動用紙選択機能により選択されてしまうのを防止する。
なお、本実施形態では、取得手段として原稿読取装置１０を用いている。また、複数の収容手段として用紙収容部２４１，２４２，２４３，２４４を用いている。また、収容印刷媒体設定手段として操作パネル２０２及び属性設定処理部２１１を用いている。また、選択印刷媒体設定手段として操作パネル２０２及び自動用紙選択設定処理部２１２を用いている。また、決定手段として自動用紙選択処理部２１３（特にステップＳ６２の処理）を用いている。また、選択手段として自動用紙選択処理部２１３を用いている。また、画像形成手段として画像出力制御部２０３及び画像形成ユニット２２０を用いている。
【００９９】
また、本実施形態の変形例として次のようなものが挙げられる。
本実施形態では、図８乃至図１２に具体的な態様の設定画像を示している。しかし、設定画面は、これらの態様に限定されないことは言うまでもない。
また、本実施形態では、用紙の紙質に着目して、用紙収容部を選択している（図１６参照）。しかし、本実施形態の変形例では、用紙の紙質の情報を、用紙の紙質以外の情報（例えば用紙色）、又は用紙の紙質の情報と用紙についての他の情報（例えば用紙色）とを組み合わせたものに置き換えて、例えば、用紙の種類といった情報に置き換えて、用紙収容部を選択することもできる。
【０１００】
例えば、用紙の紙質の情報と用紙色の情報の組み合わせからなる用紙の種類に基づいて用紙収容部を選択する場合において、選択用紙サイズが一致する用紙収容部の用紙の種類が１種類（用紙の紙質の情報と用紙色の情報との組み合わせが１種類）のときには、選択用紙情報にその用紙の種類を設定する（ステップＳ８６）。また、選択用紙サイズが一致する用紙収容部の用紙の種類が複数種類（用紙の紙質の情報と用紙色の情報との組み合わせが複数種類）あるが、自動用紙選択のために設定した用紙の種類（用紙の紙質の情報と用紙色の情報の組み合わせ）と一致するものがあるときは、選択用紙情報にその設定した用紙の種類を設定する（ステップＳ８８）。
【０１０１】
また、本実施形態の変形例では、用紙の種類の情報を、用紙の重さを示す情報、いわゆる用紙の坪量の情報にすることもできる。すなわち、前述の実施形態の説明における、用紙の紙質の情報を坪量の情報に置き換えたり、用紙の情報を、用紙の紙質の情報、用紙色の情報、及び用紙の坪量の情報を組み合わせたものにすることもできる。
また、本実施形態では、電子写真方式により画像形成している。これに対して、本実施形態の変形例では、インクジェット記録方式等の他の印刷方式によりにより画像形成することもできる。
【０１０２】
また、前述のような各種処理を実現可能とするコンピュータの制御プログラムを通信手段により提供することはもちろん、ＣＤ−ＲＯＭ等の記憶媒体に格納して提供することもできる。
【符号の説明】
【０１０３】
１  画像形成装置、１０  原稿読取装置、２０２  操作パネル、２０３  画像出力制御部、２１１  属性設定処理部、２１２  自動用紙選択設定処理部、２１３  自動用紙選択処理部、２２０  画像形成ユニット、２４１，２４２，２４３，２４４  用紙収容部
【図１】
0005552849.tif 000002
【図２】
0005552849.tif 000003
【図３】
0005552849.tif 000004
【図４】
0005552849.tif 000005
【図５】
0005552849.tif 000006
【図６】
0005552849.tif 000007
【図７】
0005552849.tif 000008
【図８】
0005552849.tif 000009
【図９】
0005552849.tif 000010
【図１０】
0005552849.tif 000011
【図１１】
0005552849.tif 000012
【図１２】
0005552849.tif 000013
【図１３】
0005552849.tif 000014
【図１４】
0005552849.tif 000015
【図１５】
0005552849.tif 000016
【図１６】
0005552849.tif 000017
【図１７】
0005552849.tif 000018
【図１８】
0005552849.tif 000019